【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
マシンタイプ通信（ＭＴＣ）のために構成された帯域幅限定ユーザ機器（帯域幅限定ＵＥ）の装置であって、前記装置は、処理回路とメモリとを備え、
前記処理回路は、
ベースステーション（ＢＳ）から受信したシグナリングから、前記帯域幅限定ＵＥに向けられたＭＴＣ物理ダウンリンク制御チャネル（ＭＰＤＣＣＨ）をデコードする段階であって、前記ＭＰＤＣＣＨは、前記帯域幅限定ＵＥに対する物理ダウンリンク共有チャネル（ＰＤＳＣＨ）サブフレーム割り当てを示すダウンリンク制御情報（ＤＣＩ）を有する、段階と、
前記ＭＰＤＣＣＨの前記ＤＣＩに従って第１のサブフレームにおいて前記ＰＤＳＣＨをデコードする段階であって、前記ＰＤＳＣＨは、前記ＭＰＤＣＣＨが受信される最後のサブフレームの後の予め定められた数のサブフレームにおいて受信され、前記ＭＰＤＣＣＨが送信される最初のサブフレームのための開始シンボルが前記ＢＳによって構成される、段階と、を実行し、
前記メモリは、少なくとも前記ＤＣＩを格納する
装置。
【請求項２】
前記第１のサブフレームにおける前記ＰＤＳＣＨは、前記第１のサブフレームの狭帯域部分におけるシステム情報ブロック（ＳＩＢ）を含む、
請求項１に記載の装置。
【請求項３】
前記処理回路は、前記ＭＰＤＣＣＨにおける前記ＤＣＩに従って、ＳＩＢを含まない第２のサブフレームにおける前記ＰＤＳＣＨをデコードするよう構成される
請求項２に記載の装置。
【請求項４】
前記ＭＰＤＣＣＨが受信される前記最後のサブフレームの後の前記サブフレームの数は、前記ＢＳによって予め定められる
請求項１から３のいずれか一項に記載の装置。
【請求項５】
前記ＭＰＤＣＣＨにおける前記ＤＣＩは、前記ＢＳに従って繰り返すよう構成された、前記帯域幅限定ＵＥのための複数のＰＤＳＣＨサブフレームを示す、
請求項１から４のいずれか一項に記載の装置。
【請求項６】
前記処理回路は、前記帯域幅限定ＵＥを、１．４ＭＨｚの最大チャネル帯域幅に対応する６個の物理リソースブロック（ＰＲＢ）の限定チャネル帯域幅内のライセンスされたセルラ帯域において動作するよう構成する
請求項１から５のいずれか一項に記載の装置。
【請求項７】
前記帯域幅限定ＵＥに対する前記複数のＰＤＳＣＨサブフレームは、ＳＩＢを含む前記第１のサブフレームを有し、
前記複数のＰＤＳＣＨサブフレームは、周期的に繰り返すよう構成される、
請求項５に記載の装置。
【請求項８】
マシンタイプ通信（ＭＴＣ）のために構成されたベースステーション（ＢＳ）の装置であって、前記装置は、処理回路とメモリとを備え、
前記処理回路は、
帯域幅限定ユーザ機器（帯域幅限定ＵＥ）に送信するために、ＭＴＣ物理ダウンリンク制御チャネル（ＭＰＤＣＣＨ）をエンコードする段階であって、前記ＭＰＤＣＣＨは、前記帯域幅限定ＵＥに対する物理ダウンリンク共有チャネル（ＰＤＳＣＨ）サブフレーム割り当てを示すダウンリンク制御情報（ＤＣＩ）を含む、段階と、
前記帯域幅限定ＵＥに送信するために、前記ＭＰＤＣＣＨにおける前記ＤＣＩに従って、第１のサブフレームにおけるＰＤＳＣＨをエンコードする段階であって、前記ＰＤＳＣＨは、前記ＭＰＤＣＣＨが送信される最後のサブフレームの後の予め定められた数のサブフレームにおいて送信され、前記ＭＰＤＣＣＨが送信される最初のサブフレームに対する開始シンボルは、上位レイヤによって構成される、段階と、を実行し、
前記メモリは、少なくとも前記ＤＣＩを格納する、
装置。
【請求項９】
前記処理回路は、前記ＰＤＳＣＨの前記第１のサブフレームの狭帯域部分におけるシステム情報ブロック（ＳＩＢ）をエンコードするよう構成される、
請求項８に記載の装置。
【請求項１０】
前記処理回路は、前記ＭＰＤＣＣＨにおける前記ＤＣＩに従って、ＳＩＢを含まない第２のサブフレームにおける前記ＰＤＳＣＨをエンコードするよう構成される、
請求項９に記載の装置。
【請求項１１】
前記ＭＰＤＣＣＨが送信される前記最後のサブフレームの後の前記サブフレームの数は、上位レイヤによって予め定められる
請求項８から１０のいずれか一項に記載の装置。
【請求項１２】
前記ＭＰＤＣＣＨにおける前記ＤＣＩは、上位レイヤに従って繰り返すよう構成された、前記帯域幅限定ＵＥのための複数のＰＤＳＣＨサブフレームを示す、
請求項８から１１のいずれか一項に記載の装置。
【請求項１３】
前記処理回路は、前記ＢＳを、１．４ＭＨｚの最大チャネル帯域幅に対応する６個の物理リソースブロック（ＰＲＢ）の限定チャネル帯域幅内のライセンスされたセルラ帯域において動作するよう構成する
請求項８から１２のいずれか一項に記載の装置。
【請求項１４】
前記帯域幅限定ＵＥに対する前記複数のＰＤＳＣＨサブフレームは、ＳＩＢを含む前記第１のサブフレームを有し、
前記複数のＰＤＳＣＨサブフレームは、周期的に繰り返すよう構成される、
請求項１２に記載の装置。
【請求項１５】
前記ＢＳは、進化型ノードＢ（ｅＮＢ）である、
請求項８から１４のいずれか一項に記載の装置。
【請求項１６】
ユーザ機器（ＵＥ）の１又は複数のプロセッサに、
ベースステーション（ＢＳ）から受信したシグナリングから、前記ＵＥに向けられたＭＴＣ物理ダウンリンク制御チャネル（ＭＰＤＣＣＨ）をデコードする段階であって、前記ＭＰＤＣＣＨは、前記ＵＥに対する物理ダウンリンク共有チャネル（ＰＤＳＣＨ）サブフレーム割り当てを示すダウンリンク制御情報（ＤＣＩ）を有する、段階と、
前記ＭＰＤＣＣＨにおける前記ＤＣＩに従って第１のサブフレームにおける前記ＰＤＳＣＨをデコードする段階であって、前記ＰＤＳＣＨは、前記ＭＰＤＣＣＨが受信される最後のサブフレームの後の予め定められた数のサブフレームにおいて受信され、前記ＭＰＤＣＣＨが送信される最初のサブフレームの開始シンボルは、前記ＢＳによって構成され、前記第１のサブフレームにおける前記ＰＤＳＣＨは、前記第１のサブフレームの狭帯域部分におけるシステム情報ブロック（ＳＩＢ）を含む、段階と、を実行させる
プログラム。
【請求項１７】
前記プログラムは、前記１つ又は複数のプロセッサに、
前記ＭＰＤＣＣＨにおける前記ＤＣＩに従って、ＳＩＢを含まない第２のサブフレームにおける前記ＰＤＳＣＨをデコードする段階を実行させる、
請求項１６に記載のプログラム。
【請求項１８】
前記ＭＰＤＣＣＨが受信される前記最後のサブフレームの後の前記サブフレームの数は、前記ＢＳによって予め定められる
請求項１６または１７に記載のプログラム。
【請求項１９】
ベースステーション（ＢＳ）の１又は複数のプロセッサに、
帯域幅限定ユーザ機器（帯域幅限定ＵＥ）に送信するために、ＭＴＣ物理ダウンリンク制御チャネル（ＭＰＤＣＣＨ）をエンコードする段階であって、前記ＭＰＤＣＣＨは、前記帯域幅限定ＵＥに対する物理ダウンリンク共有チャネル（ＰＤＳＣＨ）サブフレーム割り当てを示すダウンリンク制御情報（ＤＣＩ）を含む、段階と、
前記帯域幅限定ＵＥに送信するために、前記ＭＰＤＣＣＨにおける前記ＤＣＩに従って、第１のサブフレームにおけるＰＤＳＣＨをエンコードする段階であって、前記ＰＤＳＣＨは、前記ＭＰＤＣＣＨが送信される最後のサブフレームの後の予め定められた数のサブフレームにおいて送信され、前記ＭＰＤＣＣＨが送信される最初のサブフレームに対する開始シンボルは、上位レイヤによって構成される、段階と、
前記ＰＤＳＣＨの前記第１のサブフレームの狭帯域部分におけるシステム情報ブロック（ＳＩＢ）をエンコードする段階と、を実行させる、
プログラム。
【請求項２０】
前記プログラムは、前記１つ又は複数のプロセッサに、
前記ＭＰＤＣＣＨにおける前記ＤＣＩに従って、ＳＩＢを含まない第２のサブフレームにおける前記ＰＤＳＣＨをエンコードする段階を実行させる、
請求項１９に記載のプログラム。
【請求項２１】
マシンタイプ通信（ＭＴＣ）のために構成された帯域幅限定ユーザ機器（帯域幅限定ＵＥ）の装置であって、前記装置は、
ベースステーション（ＢＳ）から受信したシグナリングから、前記帯域幅限定ＵＥに向けられたＭＴＣ物理ダウンリンク制御チャネル（ＭＰＤＣＣＨ）をデコードする手段であって、前記ＭＰＤＣＣＨは、前記帯域幅限定ＵＥに対する物理ダウンリンク共有チャネル（ＰＤＳＣＨ）サブフレーム割り当てを示すダウンリンク制御情報（ＤＣＩ）を有する、手段と、
前記ＭＰＤＣＣＨの前記ＤＣＩに従って第１のサブフレームにおいて前記ＰＤＳＣＨをデコードする手段であって、前記ＰＤＳＣＨは、前記ＭＰＤＣＣＨが受信される最後のサブフレームの後の予め定められた数のサブフレームにおいて受信され、前記ＭＰＤＣＣＨが送信される最初のサブフレームのための開始シンボルが前記ＢＳによって構成される、手段と、
少なくとも前記ＤＣＩを格納する手段と、を備える、
装置。
【請求項２２】
前記第１のサブフレームにおける前記ＰＤＳＣＨは、前記第１のサブフレームの狭帯域部分におけるシステム情報ブロック（ＳＩＢ）を含む、
請求項２１に記載の装置。
【請求項２３】
前記ＭＰＤＣＣＨにおける前記ＤＣＩに従って、ＳＩＢを含まない第２のサブフレームにおける前記ＰＤＳＣＨをデコードする手段をさらに備える
請求項２２に記載の装置。
【請求項２４】
マシンタイプ通信（ＭＴＣ）のために構成されたベースステーション（ＢＳ）の装置であって、前記装置は、
帯域幅限定ユーザ機器（帯域幅限定ＵＥ）に送信するために、ＭＴＣ物理ダウンリンク制御チャネル（ＭＰＤＣＣＨ）をエンコードする手段であって、前記ＭＰＤＣＣＨは、前記帯域幅限定ＵＥに対する物理ダウンリンク共有チャネル（ＰＤＳＣＨ）サブフレーム割り当てを示すダウンリンク制御情報（ＤＣＩ）を含む、手段と、
前記帯域幅限定ＵＥに送信するために、前記ＭＰＤＣＣＨにおける前記ＤＣＩに従って、第１のサブフレームにおけるＰＤＳＣＨをエンコードする手段であって、前記ＰＤＳＣＨは、前記ＭＰＤＣＣＨが送信される最後のサブフレームの後の予め定められた数のサブフレームにおいて送信され、前記ＭＰＤＣＣＨが送信される最初のサブフレームに対する開始シンボルは、上位レイヤによって構成される、手段と、
少なくとも前記ＤＣＩを格納する手段と、を備える、
装置。
【請求項２５】
前記ＰＤＳＣＨの前記第１のサブフレームの狭帯域部分におけるシステム情報ブロック（ＳＩＢ）をエンコードする手段をさらに備える、
請求項２４に記載の装置。
【請求項２６】
請求項１６から２０のいずれか一項に記載のプログラムを格納するコンピュータ可読記憶媒体。
【手続補正２】
【補正対象書類名】明細書
【補正対象項目名】発明の名称
【補正方法】変更
【補正の内容】
【発明の名称】装置、プログラム、およびコンピュータ可読記憶媒体